(57)【特許請求の範囲】
【請求項１】
装置本体の両側部それぞれに配置するヒンジ機構により、装置本体の両側部のそれぞれに対して、回動支点を介して開閉可能かつ上下移動可能に支持される開閉体の開閉状態検知機構であって、
装置本体に立設され且つ弾性を有する部材により形成されるフィーラと、開閉体に取り付けられフィーラを検知する検知手段とを備え、該開閉体に、フィーラを当接させて検知手段へ案内する案内部材を設けたことを特徴とする開閉体の開閉状態検知機構。
【請求項２】
前記案内部材は、フィーラ側から検知手段側へ向かって除々に間隔が小さくなる一対の傾斜面であることを特徴とする請求項１に記載の開閉体の開閉状態検知機構。
【請求項３】
前記案内部材は、開閉体に一体形成されるリブであることを特徴とする請求項１又は請求項２に記載の開閉体の開閉状態検知機構。
【発明の詳細な説明】
【０００１】
【発明の属する技術分野】
本発明は、装置本体に対し回動支点を中心にして回動可能であり、且つ上下移動可能である開閉体の開閉状態を、検知するための開閉状態検知機構の構成に関する。
【０００２】
【従来の技術】
一般的に、読取面に本等の原稿を静止状に載置して、該静止原稿を読み取る画像読取装置、所謂フラットベッドタイプの画像読取装置においては、該読取部に載置した原稿を読取面に押圧するプラテンカバーが、その一辺を回動支点として開閉可能に設けられている。
このような開閉体であるプラテンカバーは、読取部に対して上下移動可能に構成されており、本等の厚みがある原稿を読取面に載置した場合には、回動支点部分がリフトアップし、プラテンカバーが持ち上げられた状態で原稿を押圧するように構成されている。
また、プラテンカバーには、該プラテンカバーの開閉状態を検知する開閉状態検知機構としてのブックインデックスセンサが構成されている。
該ブックインデックスセンサは、例えば、プラテンカバーを支持する装置本体にフィーラを立設し、プラテンカバーに透過型センサ等で構成される開閉センサを取り付けて、プラテンカバーを閉じていくとフィーラが開閉センサを通過するように構成することが考えられる。
この場合、開状態のプラテンカバーを閉じていき、フィーラが開閉センサを通過して光が遮られると、光が遮られると同時に原稿サイズ読取用のセンサが作動して、読取面に載置された原稿のサイズを判定するように構成することができる。
【０００３】
例えば、図９に示すように、画像読取装置の読取部１０１の上方にプラテンカバー１０２を配置し、該プラテンカバー１０２を、ヒンジ部１０３の回動支点１０３ａを中心に回動可能とする。
ヒンジ部１０３は、回動支点１０３ａとなる一辺の両端部に設けられ、本等の厚みがある原稿を読取面に載置してプラテンカバー１０２を閉じるとリフトアップするように構成されており、該プラテンカバー１０２は持ち上げられた状態で閉じることとなる。
また、読取部１０１にはフィーラ１０４が固設され、プラテンカバー１０２には開閉センサ１０５が取り付けられている。
そして、プラテンカバー１０２を閉じていき、フィーラ１０４が、略凹型に形成される開閉センサ１０５の検知部１０５ａを通過し、これによりプラテンカバー１０２がほとんど閉じた状態にあることを開閉センサ１０５によって検知するように構成している。
【０００４】
【発明が解決しようとする課題】
前述の如く、プラテンカバー１０２の開閉状態の検知は、読取部１０１に固設されたフィーラ１０４が、プラテンカバー１０２に取り付けられた開閉センサ１０５を通過することで行われるが、本等の厚みのある原稿を読み取る際には、閉じたプラテンカバー１０２はリフトアップされて上方に持ち上げられた状態となる。
そして、例えば、厚みのある本等の最初のページや最後のページを原稿として読み取る場合には、図１０に示す如く、一方のヒンジ部１０３が他方のヒンジ部１０３よりも大きくリフトアップされ、プラテンカバー１０２が極端に傾くこととなる。
このように、プラテンカバー１０２が片上がり状態で閉じられると、フィーラ１０４と開閉センサ１０５の検知部１０５ａとの位置がずれて、該フィーラ１０４が検知部１０５ａに接触し、開閉センサ１０５が破損するという問題がある。
【０００５】
【課題を解決するための手段】
本発明は、以上のような課題を解決すべく、次のような手段を用いるものである。即ち、請求項１記載の如く、装置本体の両側部それぞれに配置するヒンジ機構により、装置本体の両側部のそれぞれに対して、回動支点を介して開閉可能かつ上下移動可能に支持される開閉体の開閉状態検知機構であって、装置本体に立設され且つ弾性を有する部材により形成されるフィーラと、開閉体に取り付けられフィーラを検知する検知手段とを備え、該開閉体に、フィーラを当接させて検知手段へ案内する案内部材を設けたことを特徴とする開閉体の開閉状態検知機構。
【０００６】
また、請求項２記載の如く、前記案内部材は、フィーラ側から検知手段側へ向かって除々に間隔が小さくなる一対の傾斜面である。
【０００７】
また、請求項３記載の如く、前記案内部材は、開閉体に一体形成されるリブである。
【０００８】
【発明の実施の形態】
本発明の実施の形態を、添付の図面より説明する。図１は本発明の開閉状態検知機構が構成される画像読取装置を備えたファクシミリ装置の斜視図、図２は同じく正面断面図、図３はプラテンカバーの開閉部を示す側面断面図、図４は同じく後面図、図５は同じく平面図、図６はフィーラ案内用リブを示す正面図、図７はプラテンカバーが片上がり状態で閉じられた場合の開閉センサとフィーラとの位置関係を示す図、図８はフィーラがフィーラ案内用リブにより開閉センサへ案内される様子を示す図、図９は従来のプラテンカバーの開閉部を示す側面図、図１０は従来のプラテンカバーが片上がり状態で閉じられた様子を示す後面図である。
【０００９】
まず、本発明の開閉状態検知機構が構成される画像読取装置を具備するファクシミリ装置の概略構成について、図１、図２により説明する。
ファクシミリ装置Ｆは、記録部１の上方に画像読取装置が構成される画像読取部２を配置して構成され、該画像読取部２は、記録部１に対して回動支点２０を中心に上下回動可能とされている。記録部１には記録装置３及び給紙カセット４がそれぞれ上下に内装されており、給紙カセット４内に堆積される用紙を記録装置３へ給紙して記録した後に、記録紙排出トレイ５から排出するように構成している。
【００１０】
一方、画像読取部２においては、上面を透明状の静止原稿載置面１４とした読取ケース１３内に読取装置６を収納しており、該静止原稿載置面１４上に載置された原稿を該読取装置６により走査して、読み取りを行うようにしている
また、読取ケース１３の上方には、その一辺を中心として開閉可能に構成されるプラテンカバー７が配置され、該プラテンカバー７により静止原稿載置面１４上に載置された原稿を上方から押えるものとしている。
【００１１】
プラテンカバー７の一端部には原稿を自動的に給紙する自動給紙装置（ＡＤＦ装置）８が付設され、該自動給紙装置８は給紙装置１１と搬送装置１２とにより構成されている。
そして、原稿供給トレイ９に載置した原稿を、自動給紙装置８の給紙装置１１により一枚ずつピックアップして、搬送装置１２により静止原稿載置面１４の一端部へ搬送し、その内容を読取装置６により読み取った後に、プラテンカバー７の上面に形成される原稿排出トレイ１０へ排出するように構成している。
【００１２】
即ち、画像読取部２は、読取装置６を走査させて静止原稿を読み取るフラットベッドタイプのスキャナとして用いるとともに、読取装置６を位置固定して原稿を給送しながら読み取りを行うシートフィードタイプのスキャナとして用いることができるように構成されている。
【００１３】
また、読取ケース１３の一側方にはキーパネル１５が付設され、該キーパネル１５の各種操作キーを操作することにより、原稿内容の読み取りを行ったり、読み取った内容をファクシミリ送信する際の送信先の設定を行ったり、受信内容や読み取った内容の記録装置３による記録を行ったりするようにしている。
【００１４】
次に、読取ケース１３の上方に開閉可能に載置される開閉体である、前記プラテンカバー７の開閉状態を検知するための検知機構について説明する。
尚、ファクシミリ装置Ｆにおける、キーパネル１５が配置される側を前部と、自動給紙装置８が配置される側を左部として便宜的に定義する。
【００１５】
図３乃至図５に示すように、読取ケース１３に載置されるプラテンカバー７は、該読取ケース１３後端部の左右両側部にてヒンジ機構２０・２０を介して開閉可能に支持されている。
ヒンジ機構２０は、読取ケース１３に取付固定される支持プレート２１、プラテンカバー７に固設される固定プレート２２、及び支持プレート２１と固定プレート２２とを連結する回動プレート２４等により構成されている。
支持プレート２１と回動プレート２４とは回動支点２３にて回動可能に連結され、固定プレート２２と回動プレート２４とはリフト支点２５にて回動可能に連結されている。
【００１６】
そして、通常プラテンカバー７が開閉される場合には、回動プレート２４が回動支点２３を中心にして、プラテンカバー７に固設される固定プレート２２と一体的に回動する。
また、静止原稿載置面１４に本等の厚みのある原稿を載置してプラテンカバー７を閉じた場合には、回動プレート２４がリフト支点２５を中心として、固定プレート２２に対し回動することによりプラテンカバー７がリフトアップされ、該プラテンカバー７を略水平に保持したままの状態で閉じて、原稿を押圧することが可能となっている。
【００１７】
読取ケース１３の後端部、即ち側面視における回動支点２３の近傍には、薄板状部材のフィーラ３１が立設され、プラテンカバー７内の後端部にはセンサブラケット３２を介して開閉センサ３３が固設されており、該開閉センサ３３は、フィーラ３１の後方に配置されている。
プラテンカバー７における開閉センサ３３の略下方部分には通孔１７が開口しており、プラテンカバー７を閉じると、該通孔１７を通じてフィーラ３１が該プラテンカバー７内に侵入するように構成されている。
【００１８】
透過型センサに構成される開閉センサ３３の検知部３３ａは略凹型に形成され、プラテンカバー７を閉じていくと、該プラテンカバー７内に侵入するフィーラ３１の後端面３１ａが該検知部３３ａを通過する。
即ち、プラテンカバー７を閉じていき、フィーラ３１が開閉センサ３３の検知部３３ａを通過した状態になると、該検知部３３ａを透過する光がフィーラ３１により遮られ、これにより該プラテンカバー７がほとんど閉じた状態になったことを検知するようにしている。
ここで、「プラテンカバー７がほとんど閉じた状態」とは、読取部２の静止原稿載置面１４に載置した原稿のサイズを読み取る際に、外光の影響を受けない程度までプラテンカバー７が閉じられた状態のことをいう。
一方、プラテンカバー７が回動支点２３を中心に上方回動して開いた状態にあるときは、開閉センサ３３がプラテンカバー７と一体的に上方回動し、該開閉センサ３３の検知部３３ａがフィーラ３１の上方に移動するため、検知部３３ａを透過する光がフィーラ３１により遮られることがなくなって、プラテンカバー７が開いている旨が検知される。
【００１９】
そして、開いた状態にあるプラテンカバー７を閉じていき、フィーラ３１により開閉センサ３３の検知部３３ａを透過する光が遮られて、プラテンカバー７がほとんど閉じた状態になったことが検知されると、光が遮られたのと同時に、ファクシミリ装置Ｆに設けられる原稿サイズ読取用のセンサ（図示せず）が作動して、静止原稿載置面１４に載置された原稿のサイズが判定されるように構成している。
【００２０】
このように、装置本体としての読取ケース１３に対し回動支点２３を中心にして開閉可能であり、且つ該回動支点２３が上下移動可能であるプラテンカバー７に、開閉センサ３３を固設し、読取ケース１３における回動支点２３の近傍にフィーラ３１を立設して、該開閉センサ３３によるフィーラ３１の検知によりプラテンカバー７の開閉状態を検知し、原稿サイズ読取用のセンサを作動させる、ブックインデックスセンサを構成している。
【００２１】
また、図６に示すように、プラテンカバー７の底面に開口する前記通孔１７の周縁部にはガイド壁１９が立設されており、左右のガイド壁１９からは、内側方向へ突出する一対のフィーラ案内用リブ１８・１８が形成されている。該ガイド壁１９及びフィーラ案内用リブ１８・１８は、リブ形状に形成され、プラテンカバー７の外装部材と同一の部材、例えば合成樹脂により、該プラテンカバー７と一体的に形成されている。
【００２２】
一対のフィーラ案内用リブ１８・１８の内側面は、下方から上方へいくにつれて互いの間隔が徐々に狭くなる傾斜面に形成されている。即ち、該フィーラ案内用リブ１８・１８間の間隔は、フィーラ３１が挿入される通孔１７側から、開閉センサ３３側方向へ向かって、除々に狭くなるように構成されている。
そして、プラテンカバー７を閉じると、フィーラ３１が通孔１７からプラテンカバー７内に挿入され、フィーラ案内用リブ１８・１８間を通った後に、開閉センサ３３の検知部３３ａに達することとなる。
【００２３】
ここで、厚みのある本等を静止原稿載置面１４に載置して、該本等の最初のページや最後のページを原稿として読み取る場合には、プラテンカバー７を閉じると、前述の図１０に示した場合と同様に、一方のヒンジ機構２０が他方のヒンジ機構２０よりも大きくリフトアップされ、プラテンカバー７が極端に傾くこととなる。
このように、プラテンカバー７が片上がりすると、図７に示すように、開閉センサ３３の検知部３３ａが傾くとともに、該検知部３３ａとフィーラ３１先端部との左右位置がずれて、そのままでは、該フィーラ３１が検知部３３ａに接触し、開閉センサ３３が破損することがある。
【００２４】
そこで、本発明においては、プラテンカバー７が片上がり状態で閉じられた場合には、前記フィーラ案内用リブ１８・１８により、フィーラ３１を開閉センサ３３の検知部３３ａの部分に案内して、該検知部３３ａとフィーラ３１との接触を防止するようにしている。
【００２５】
即ち、片方のヒンジ機構２０のみがリフトアップされる状況でプラテンカバー７を閉じる場合、図８に示すように、フィーラ３１が通孔１７からプラテンカバー７内に侵入する際には、まず、該フィーラ３１の先端部が、リフトアップされた側のフィーラ案内用リブ１８の下端部に当接する。
その後、プラテンカバー７が閉じられていくと、フィーラ３１のフィーラ案内用リブ１８の内側面への当接部位は上方へ移動する。この際、フィーラ案内用リブ１８の内側面は上方へいくに従って内側へ傾斜しているので、フィーラ３１は、該フィーラ案内用リブ１８によってガイド壁１９内の左右中央方向へ押圧される。
【００２６】
フィーラ３１は、板金部材等の弾性を有する部材により形成されているので、フィーラ案内用リブ１８により押圧されると押圧された方向に弾性変形し、ガイド壁１９内の左右中央方向へ屈曲される。
一対のフィーラ案内用リブ１８・１８間の間隙は、その左右幅を開閉センサ３３の検知部３３ａの左右幅と略同じ又は該検知部３３ａの左右幅よりも小さく構成されるとともに、該検知部３３ａと位置を合わせて配置されているので、フィーラ案内用リブ１８により押圧されて屈曲したフィーラ３１の先端部は、検知部３３ａへ案内されることとなる。
【００２７】
このように、フィーラ案内用リブ１８・１８にプラテンカバー７を形成して、フィーラ３１を検知部３３ａへ案内するように構成することで、片方のヒンジ機構２０のみがリフトアップされる状態でプラテンカバー７が閉じられた場合でも、該フィーラ３１が開閉センサ３３に接触することがなく、該開閉センサ３３の破損を防止することができる。
【００２８】
また、フィーラ３１を開閉センサ３３の検知部３３ａへ案内するフィーラ案内用リブ１８・１８の内側面は、プラテンカバー７の底面側、即ちフィーラ３１側から開閉センサ３３側へ向かって除々に間隔が小さくなる一対の傾斜面に形成されているので、フィーラ３１へ急激に大きな応力がかかることがなく、該フィーラ３１を円滑に検知部３３ａへ案内することができる。
【００２９】
さらに、フィーラ案内用リブ１８・１８はリブ形状に形成されているので、フィーラ３１との接触面積が小さくなり、該フィーラ３１とフィーラ案内用リブ１８との間に生じる摩擦力も小さく、さらに円滑に検知部３３ａへ案内することができる。
また、フィーラ案内用リブ１８・１８はプラテンカバー７と一体的に形成されているので、部品点数が増加することもなく低コストで構成することができる。
【００３０】
【発明の効果】
本発明は以上の如く構成したので、次のような効果を奏する。
まず、請求項１の如く構成するので、開閉体の片方のみがリフトアップされる片上がり状態で開閉体が閉じられた場合でも、該フィーラが検知部材に接触することがなく、該検知部材の破損を防止することができる。
【００３１】
更に、請求項２の如く、前記案内部材は、フィーラ側から検知手段側へ向かって除々に間隔が小さくなる一対の傾斜面であるので、フィーラへ急激に大きな応力がかかることがなく、該フィーラを円滑に検知部へ案内することができる。
【００３２】
更に、請求項３の如く、前記案内部材は、開閉体に一体形成されるリブであるので、フィーラとの接触面積が小さくなり、該フィーラと案内部材との間に生じる摩擦力も小さく、フィーラをさらに円滑に検知部へ案内することができる。
また、案内部材を設けるにあたって、部品点数が増加することもなく低コストで構成することができる。
【図面の簡単な説明】
【図１】本発明の開閉状態検知機構が構成される画像読取装置を備えたファクシミリ装置の斜視図である。
【図２】同じく正面断面図である。
【図３】プラテンカバーの開閉部を示す側面断面図である。
【図４】同じく後面図である。
【図５】同じく平面図である。
【図６】フィーラ案内用リブを示す正面図である。
【図７】プラテンカバーが片上がり状態で閉じられた場合の開閉センサとフィーラとの位置関係を示す図である。
【図８】フィーラがフィーラ案内用リブにより開閉センサへ案内される様子を示す図である。
【図９】従来のプラテンカバーの開閉部を示す側面図である。
【図１０】従来のプラテンカバーが片上がり状態で閉じられた様子を示す後面図である。
【符号の説明】
Ｆ  ファクシミリ装置
２  画像読取装置
７  プラテンカバー
１３  読取ケース
１４  静止原稿載置面
１８  フィーラ案内用リブ
２０  ヒンジ機構
２３  回動支点
３１  フィーラ
３３  開閉センサ
【図１】
0004140172.tif 000002
【図２】
0004140172.tif 000003
【図３】
0004140172.tif 000004
【図４】
0004140172.tif 000005
【図５】
0004140172.tif 000006
【図６】
0004140172.tif 000007
【図７】
0004140172.tif 000008
【図８】
0004140172.tif 000009
【図９】
0004140172.tif 000010
【図１０】
0004140172.tif 000011